(57)【要約】      （修正有）【課題】発電機が発電する際に、半分が熱で損をする現象を改善し、且つ駆動モータが駆動する際にも半分が熱損で逃げる電力エネルギーを、その原因を究明し、且つエネルギーを有効に使えるようにする。【解決手段】本発明の自然界に於ける法則は、物質が等しく分裂すると、分裂し小さくなった分だけ、エネルギーとして、元の空間を保存する、『空間とエネルギーが等価』である私の発見した宇宙の爆発の原理に従う。本発明の具体的解決手段は、発電機で発電するプラスマイナス一相以上の電気を、配線を使い分割し、分割した分だけ、電磁気力エネルギーを倍化し引き出し有効利用する方法手段にかかる。この分割配線方法を使えば、発電機も熱損と発電抗力が少なくなり、高速回転も容易となった。この常温超伝導電機子により発電機は従来の構造規模のままで、配線をｎ数に細分割し、モータの発電駆動能力を、ｎ数倍とすることが可能となった。【選択図】図２
2014220978.tif 000002
【特許請求の範囲】
【請求項１】
電気絶縁皮膜した鉄板の合板で形成する励磁磁鉄に、電気絶縁皮膜した良電導体線をコイルとして巻き、上記良電導体線コイルの一端と他端を電極とするソレノイドコイルを形成する。ソレノイドコイルの励磁磁鉄両端に隙間を隔てて磁石を置き、双磁極Ｎ，Ｓを交互に移動させ、形成する交番磁界による磁束を、ソレノイドコイル励磁磁鉄内に交互に交番磁束を流させる。これによりソレノイドコイルに交番電流を発生させる電機子において、コイル中間を切断し、新たな二つの電極を構成する。電機子コイルが双磁極Ｎ，Ｓに跨る双磁極電機子に対し、Ｎ，Ｓそれぞれの磁極の、単磁極の電機子コイルの対で形成する単磁極電機子対。及び上記少なくとも一つの単磁極電機子対のコイルを並列に結線する単磁極電機子対回路。
【請求項２】
請求項１の少なくとも一つの単磁極電機子対で構成する電動モータ。
【請求項３】
発電機のＮ−Ｓ二磁極にまたがる、少なくともＵ，Ｖ二相の少なくとも２柱の電機子コイル配線の一端がＵ，Ｖ電極の端子であり、他端２極が２電機子の中間でつながる閉鎖回路を開放し、プラスマイナス四相と電極を倍化する、請求項１の単磁極電機子対を具備し、対の単磁極電機子電極の一端が、双磁極電機子としての閉鎖回路を形成しない、解放回路である単磁極電機対で構成する発電機及び電動機。
【請求項４】
上記単磁極電機子発電機で且つ開放回路である発電機の電機子において、プラスマイナス電極の相が位相の違う各相の単磁極電機子をまとめて、複相の単位極電機子とする。複数の上記単位極電機子で形成する発電機において、少なくとも一つの同一磁極の単磁極電機子結線が、直列に閉鎖回路として結線してある少なくとも一つずつの単磁極電機子を、単磁極電機子間の中間で切断し、解放し、新たな電極とする。上記単位極電機子群で構成される、直列単磁極結線閉鎖回路を開放回路とする・同磁極で単列、あるいは並列の単磁極電機子発電機及び電動機。
【請求項５】
特許請求項１の少なくとも一対の単磁極電機子の少なくとも一対の電極の端が整流子とつなぎ、交流を直流に整流する整流回路を具備する単磁極電機子対。
【請求項６】
上記単磁極電機子対の整流回路を具備し、少なくとも一つの単磁極電機子対で構成する発電機。
【請求項７】
回転子と固定子で形成する電動モータ及び発電機において、電機子が上記単磁極電機子対である発電機の磁石の位相の位置がずれている、多相発電機。
【請求項８】
上記単磁極電機子対において、それぞれの単磁極電機子に少なくとも二次のコイルを具備する複巻き単磁極電気子対。
【請求項９】
上記複巻き単磁極電機子対で構成される、複巻き単磁極電機子対電動モータ及び、発電機。
【請求項１０】
上記複巻き単磁極電機子対電動モータが少なくとも２台で一方の発電の一部を他方の駆動電源とする駆動発電モータ。
【請求項１１】
上記複巻き単磁極電機子対電動モータが少なくとも二台連動し、互いの発電した電気を互いの駆動電源とする多段駆動発電機。
【発明の詳細な説明】
【発明の詳細な説明】
【技術分野】
【０００１】モータ
【背景技術】
【０００２】従来の発電方法は  回転子と固定子の二体を、一体をＮＳ二極の磁石とし、他体を励磁磁鉄に巻かれた良電導体コイルで形成する電機子とし、この二体の相対移動により、電機子コイルに交番発電させる発電方法及び発電機である。また駆動モータは上記二体モータ発電機の一体である電機子に交番電流を印加し、発生する磁力により、他体のＮ，Ｓ二極の磁石に駆動力を与えている。この結果コイルに発生した電気により、二次的に電機子が磁石となる。これは発電機においては発電抗力となり、駆動モータにおいては、回転をあげると共にトルクを減じる原因となっている。また電機子コイルに磁極Ｎ，Ｓ二極で発生したプラスマイナス逆相の電流が短絡し流れることにより、発熱し熱損が発生する。これらの損により、発電及び駆動の入力エネルギーの大半が損として失われる。従来の発電機発電抗力に対する対策は、発電抗力を発電時の残留磁気と解釈し、電機子の間に別の駆動用電機子を具備し発電抗力を打ち消そうとする補巻き電機子コイルを具備したものであるが、発電促進効果はあまり期待されない。熱損などは、大型発電機モータコイルが熱損で焼けるために、良伝導体線をパイプ状にして中に冷却水を通すなどして熱でコイルが焼ききれるのを防いでいる。発熱エネルギー損の基本的元で在る発熱の原因究明および対策はなされていない。【０００３】従来の発電機、駆動モータの電機子コイルは一端を入・出力端子とし他端をスター回路かデルター回路として閉鎖回を形成し直結している。このため閉鎖回路内で違う相同士が短絡状態となり、入力エネルギーの大半が熱損となる。また発生する磁束による磁気が第一の抗力ともなる。【０００４】またそれぞれ位相の違う相を一単位極として複数の極を形成する際に、同じ位相の電機子同士を磁極の向きと巻き線方向を同じくする直列とする結線をしている。これの発電により発生する磁束が第二の抗力の元、残留磁気発生の原因となっている。また発熱の原因ともなっている。
【発明が解決しようとする課題】
【０００５】従来のスター回路やデルター回路の電動モータで発電及び駆動をすると  少なくとも半分が熱となり、熱損となる。また多相の回路の閉鎖回路により電力が浪費される。また発生する磁束により発電抗力となりり、駆動力が減じる。本発明が解決しようとする第一の課題は、熱損の原因を明らかにし、熱損をなくすことを第一の課題としている。
【０００６】本発明が解決しようとする第二の課題は、多相間で誘導発生する磁力の原因を明らかにし、発電抗力及び駆動抗力をなくすことを第二の課題としている。
【０００７】本発明が解決しようとする第三の課題は、回転子と固定子からなる二体モータで発電及び駆動すると、位相の違う多相を単位極とする単位極電機子コイルで、他の単位極電機子の同じ極の間で直列結線している。これによる二次的に誘導発生する、磁力により、発電機は発電機を回転させる抗力となり、駆動モータは回転トルクを減ずる抗力となる。電動モータ及び発電機の発電時発生する残留磁気による抗力をなくすことを課題としている。
【０００８】第四の課題は複数の単磁極の間で仕事をさせないで直列結線し、或いは並列結線し、電圧、或いは電流の増減をさせる方法が未決である。これを解決することが課題である
【課題を解決する為の手段】
【０００９】第一の課である熱損を解決する手段は、電力消費を１とすると、半分が発熱して逃げる原因を明らかにすることであり、その後これを解決する装置を電機子コイル巻き線構造、配線方法及び装置として提供することにある。第二の課題である位相の違う、他相間での相互作用によるエネルギー損失、発電抗力、および熱損をなくすための手段として単磁極電機子結線をスター回路、或いはデルター回路として閉鎖しているのを解放し、新たな逆相の電極を創設することを手段としている。第三の課題である同相間での発熱損と発電効力をなくし解決する手段は、物質が元々持っている原子力に近いエネルギーである電磁気力を取り出す方法を阻害する、発電時発生する抗力を無くすために、位相の同じくする単磁電極子が直列に結線され結線内で発熱消費しているのを解放し、新たな電極とすることを手段としている。且つ直列結線により発生す磁束による磁気抗力をなくす、これにより、入力を消費する抗力によるエネルギー損を少なくする。熱損のエネルギー損も少なくする。第四の課題を解決する手段は、同相の単磁極電機子を、直列、或いは並列に繋ぐし手段として、単磁極の電極に、整流器を繋ぎ整流し、その後に、直列、或いは並列に繋ぐことを解決手段とする。並列については整流子を必要とはしないで、結線しても効果は変わらない。
【発明を実施するための形態】
【００１０】本発明の開示である発明の第一の実施の形態は、第一に電力消費すると半分が発熱して逃げる熱損の原因を明らかにすることである。その原因は  交流発電の位相が異なる二相の電気配線内で  互いに位相の違う電気が閉鎖回路として短絡し、一相分の電機が発熱浪費するのである。この発熱浪費は、熱力学で言う半分は熱で逃げるのが法則とされているが、法則ではなくて単なる構造上の問題である。
本発明はこの閉鎖回路による短絡発熱浪費の現象を踏まえ、入力と出力を二相間で行う閉鎖回路を解放し、一方の相も他の相も、それぞれ別入力電源とし、二回線の電力消費とし  それぞれの相の電気出口を大地とするアース線とで±二相の逆相を含む４相の電気配線とする。これはＮ、Ｓ磁気単極電機子対と呼べる。これにより従来の発電機で在るＮＳ磁気双極電機子の一相と他相が短絡発熱浪費による発生電力の半分しか有効に使うことしか出来なかったものを、依り有効消費に電力を変えることが出来る。本発明の開示である第二の実施の形態は、位相の違う電機子の結線が、スター回路かデルター回路で結線しているために、異相関で相互作用し、二相の電気が一相分、発熱浪費する、且つ発電抗力の基となる誘導起電力による磁束の流れにより発生する磁気が発電抗力の元と成る。これを解決する実施方法は閉鎖回路をなくし解放回路とすることにより第一の抗力をなくすことである。より詳しくは、ＮＳ磁気単極電機子対を使い、それぞれの単磁電機子で発電した電力を単磁電機子内で消費すれば、電機子励磁磁鉄内に、誘導起電後の磁束が発生しない、従って磁気も発生しない。これを利用することにより発電抗力の少ない発電機を具現することが出来、従来よりも有効なエネルギーを得ることが出来るようになった。熱損の少ない電圧や電流を上げるための方法として、単磁電機子結線を直列や並列に繋ぐには、単磁気電機子の電極端に整流子を繋ぎ、整流し、その後並列、或いは直列に繋ぐことにより、熱損を防ぐ課題を解決し実施することが出来た。実施は全波整流子を繋ぎ実施した。図示はしない。
【実施例】
【００１１】実施例の第一はまず発熱の原因を図１に於いて交流発電の二相の相互作用として説明する。図１は三相及び二相相互作用の電源の電圧と位相の関係グラフ図です。縦方向が電圧とであり横方向が発電の磁石とコイルの相対位置を示す位相である。位相の違う二相の電力は互いに電圧がプラスマイナスし一相分が消滅し、二相の中間の位相位置に新たな一相が形成される。この消滅した一相分の電力が発熱する。【００１２】上記発熱の原因をなくし発電する方法を図２において説明する。図２は模式図である。絶縁皮膜された鉄板の合板で形成された励磁磁鉄１に絶縁皮膜された良伝導体線コイル２として巻かれ、電機子の一端と他端に隙間をへて、磁極ＮＳが交番すると、電機子コイル一端Ａと他端Ｂに電流＋Ｕと−Ｕが発生する。この二相にそれぞれ電気器具をつなぎ電気器具他端をアースとして繋ぎ消費する。このコイル中間では、発生した電気±Ｕ相の逆相が短絡結合し発熱する。これを防ぎ、電力を有効に使うには、コイル電線中間を切断し新たな電極ＣとＤを形成し、新たな電気の相、逆＋Ｕ相と逆−Ｕを形成する。このそれぞれの新たな電極に電気器具を接続し、それぞれの電気回路端をアースとする。【００１３】実施例の第二は、発電抗力と駆動抗力の実施例として図３を用いて説明する。図は模式図である。３相交流発電機として説明する。絶縁皮膜された鉄板の合板で形成された励磁磁鉄がドーナツ状円盤１に形成され、内側に突起する柱が相数倍在る、それぞれの柱に良伝導体線が巻かれ、電機子を形成している。このコイル一端は出力電極ＵＶＷを形成している、従来のモータはそれぞれのコイル他端をスター回路かデルター回路として短絡結線した閉鎖回路を形成している。本発明は、それぞれの他端を短絡閉鎖回路として形成することなく、解放され、逆相−Ｕ−Ｖ−Ｗとして新たな電極を形成している。それぞれの逆相には電気器具が接続され、電機気具他端はアースに接続されている。【００１４】実施例の第三は、図４を用いて説明する。図は模式図である。絶縁皮膜した鉄板の合板で構成された励磁磁鉄１の少なくとも一つの柱に絶縁皮膜した良伝導体線２が巻かれ、電機子を形成する。励磁磁鉄１の柱の端に隙間を隔ててＮ，Ｓ磁極が交番するモータの図である。図は同じ相のみ描かれているが、実施は何相でもよい。相が同じで多極である従来のモータの結線は、連続して直列につながれ、線の両端Ａ，Ｂが相の電極となる。本発明はそれぞれの同磁極柱間の電気配線を切断し新たな電極Ｃ，Ｄを新設し、極数分の±電極を新設するモータである。
【発明の効果】
【００１５】発明の第一の効果は図１・図２を用いて説明する。図１は二相の交流電源を図示したものである。ＵＶ二相の位相が三分の一ずれて配電されている。この二相の間に仕事をさせると、二相の短絡相互作用がプラスマイナスした後逆相−で表示している。ＵＶ二相の波形が一相の−Ｗ相波形となり、一相分が無駄に消費されていることが分る。次に図２を用いてＵＶこの二相の入力を短絡部分で切断し、それぞれ独立させ二回線とし、出力をアースとすれば二入力電源をそれぞれ別電源とする熱損で浪費することのない電力を利用することが出来た。
【００１６】発明の第二の効果は、図３を用いて説明する。上記発明の効果で明らかになったように、磁極の違う単磁極電機子ＵＶＷ同士の結線が従来のスター回路やデルター回路のように短絡閉鎖回路を形成することなく開放し新たな逆相電極を形成し、新たな電極とアース間で電気器具により電力を消費すると、従来の発電により誘導される二次的な磁束と磁力、残留磁気と呼ばれ発電抗力となるエネルギーが本発明では単磁極電機子内で電力消化され、異磁極間に磁束が流れなくなる。これにより、残留磁気による発電抗力が、発生しない。
【００１７】発明の第三の効果は図４を用いて行う。図４は模式図である。電機子巻き線の磁極性を同じくする、単磁極電機子の結線が従来では、並列に結線して在る。これにより同じ極の電機子に発生する電気により、二次的に発生する磁束は、異磁極性の単磁極電機子に逆流し結果、二次的な磁束を発生させ、発電抗力の元となる。
本発明はこの単磁極同士の結線を解放し、二電極とし、このそれぞれの電極と電気器具を良電導線の一方で繋ぎ、他方をアースとする。これにより、それぞれの単磁極電機子内で発生する電気は単磁極電機子内で消化され、二次的な磁束は発生しない、これにより発電抗力の発生をなくし、発電抗力の無いモータが具現した。第一の効果としては、発生した電気は電気器具を通じてそれぞれの逆相に流れるため電圧は倍加する。第二の効果としては、双磁極電機子を単磁極電機子に変換すると発電抗力が減り、入力エネルギーが同じであれば、回転とトルクの積は同じですから回転は極数分上がる。電圧が極数分倍加する。電流の同一モータ総量としては変化しないため、発電機発生エネルギーは極数分倍加する。総じて誘導起電力による磁気抵抗のない常温超伝導モータと呼べる発電機を具現したとえる。
【図面の簡単な説明】
【００１８】１）    励磁磁鉄
２）      コイル
Ｎ        磁極
Ｓ        磁極
Ａ、Ｂ、Ｃ、Ｄ  電機子各端子  Ｕ、Ｖ、Ｗ    交流電気各相図１は三相交流Ｕ、Ｖ、Ｗのうちの二相の相互作用を表わすものであり、縦方向がプラスマイナスの電圧であり  横方向が周波数とコイルと磁石の位相のずれを顕わすグラフである。Ｕ、Ｖ二相の相互作用により−Ｗ相とＷ相の逆相が１相合成され、他の一相分は熱損として浪費される。【００１９】図２はソレノイドコイル電機子をあらわす模式図である。１は絶縁皮膜された鉄板の合板で構成された励磁磁鉄。２は励磁磁鉄柱に巻かれた絶縁皮膜された良電導体コイル。【００２０】図３はモータの電機子の模式図。点線で表されている１は、絶縁皮膜された板の合板で構成された励磁磁鉄。【００２１】図４はモータ電機子１とＮＳ磁石の模式図。電機子は同磁極単磁電機子の並列回路を切断し単磁極電機子電極端子を極数分増やしたものである。
【図１】
2014220978.tif 000003
【図２】
2014220978.tif 000004
【図３】
2014220978.tif 000005
【図４】
2014220978.tif 000006